(57)【特許請求の範囲】
【請求項１】
サイホントラップを有する水洗便器の前記サイホントラップと便器外部の排出管との間に接続配置され、前記サイホントラップを通過した洗浄水を前記排出管に導くソケット管路を有する排水ソケットであって、
前記サイホントラップが満水状態となって発生したサイホン作用が終期を迎えるサイホン終期時期の以前に、前記ソケット管路又は前記サイホントラップの通過洗浄水の一部を貯め置き、該貯め置いた洗浄水を前記サイホン終期時期にソケット管路通過洗浄水に補給して前記ソケット管路を通過する洗浄水量を増量調整する調整手段を、前記ソケット管路に有し、
前記調整手段は、前記ソケット管路から管路外側に窪んだ凹所を前記ソケット管路の管路方向に亘って備え、該凹所に前記サイホン終期時期以前に前記通過洗浄水の一部を入り込ませて貯め置いて、該貯め置いた洗浄水をその自重で前記ソケット管路通過洗浄水に補給し、
前記凹所は、前記ソケット管路を取り囲み、連続的な螺旋状で形成された螺旋凹所とされ、該螺旋凹所にて洗浄水に螺旋状の流れを引き起こす
ことを特徴とする排水ソケット。
【請求項２】
サイホントラップを有する水洗便器の前記サイホントラップと便器外部の排出管との間に接続配置され、前記サイホントラップを通過した洗浄水を前記排出管に導くソケット管路を有する排水ソケットであって、
前記サイホントラップが満水状態となって発生したサイホン作用が終期を迎えるサイホン終期時期の以前に、前記ソケット管路又は前記サイホントラップの通過洗浄水の一部を貯め置き、該貯め置いた洗浄水を前記サイホン終期時期にソケット管路通過洗浄水に補給して前記ソケット管路を通過する洗浄水量を増量調整する調整手段と、
前記ソケット管路を通過する洗浄水を滞留させて前記サイホン作用発生に関与する滞留手段とを、前記ソケット管路に有し、
前記調整手段は、
前記滞留手段の上方に位置し、前記滞留手段による洗浄水滞留個所から流れ込んだ前記通過洗浄水の一部を貯め置く貯留手段を有する
ことを特徴とする排水ソケット。
【請求項３】
請求項２記載の排水ソケットであって、
前記調整手段は、サイホン作用を誘発する水頭圧を利用して前記貯留手段に前記通過洗浄水の一部を貯め置き、前記貯め置いた洗浄水をその有する圧力で前記ソケット管路通過洗浄水に補給する、排水トラップ。
【請求項４】
サイホントラップを有する水洗便器であって、
前記サイホントラップと便器外部の排出管との間に接続配置され、前記サイホントラップを通過した洗浄水を前記排出管に導くソケット管路を有する請求項１ないし請求項３いずれか記載の排水ソケットを備える、水洗便器。
【発明の詳細な説明】
【０００１】
【発明の属する技術分野】
本発明は、水洗便器のサイホントラップと便器外部の排出管との間に接続配置されて洗浄水を排出管に導く排水ソケットと、サイホントラップを有する水洗便器、並びにこの排水ソケットを有する水洗便器に関する。
【０００２】
【従来の技術】
この種の水洗便器では、サイホン作用の効率的な誘発が求められている。例えば、特開平８−３２６１３６号公報記載の水洗便器では、装着した排水ソケットの管路に排水受け面を設けて水流の向きを変え、洗浄水の一時的滞留を起こしている。これにより管路が満水となったサイホン管を形成してサイホン作用を効率的に誘発する技術が提案されている。
【０００３】
【発明が解決しようとする課題】
ところで、サイホン作用は、空気進入、流量低減等によりサイホン管が水（洗浄水）の満水状態でなくなると消失する。上記公報のものでは、便器内の洗浄水が少なくなって排水ソケットに流れる洗浄水量が少なくなると、排水受け面で向きを変える水流の水量が低減する。よって、水流向きの変更程度が小さくなって、洗浄水は便器外部の排出管に直接流れ込むようになる。こうなると、管路断面において洗浄水が占める占有面積が狭くなるので、下流からの空気進入が起き易くなってサイホンを維持できなくなり、サイホン作用を消失させてしまう。一般に、ボール内の溜水に浮遊する汚物（トイレットペーパーや浮遊性の下痢便等）はサイホン後期でトラップ内に吸引されて排出される。このため、流量減をきたすサイホン終期で上記のようにサイホンを消失しやすい従来技術では、これら浮遊汚物を完全に吸引・排出できなかったりすることがあった。
【０００４】
本発明は、上記した問題点を解決するためになされ、サイホン終期におけるボール部の溜水の吸引効率を高めることを目的とする。
【０００５】
【課題を解決するための手段およびその作用・効果】
上記した課題を解決するため、本発明の排水ソケットは、
サイホントラップを有する水洗便器の前記サイホントラップと便器外部の排出管との間に接続配置され、前記サイホントラップを通過した洗浄水を前記排出管に導くソケット管路を有する排水ソケットであって、
前記サイホントラップが満水状態となって発生したサイホン作用が終期を迎えるサイホン終期時期の以前に、前記ソケット管路又は前記サイホントラップの通過洗浄水の一部を貯め置き、該貯め置いた洗浄水を前記サイホン終期時期にソケット管路通過洗浄水に補給して前記ソケット管路を通過する洗浄水量を増量調整する調整手段を、前記ソケット管路に有し、
前記調整手段は、前記ソケット管路から管路外側に窪んだ凹所を前記ソケット管路の管路方向に亘って備え、該凹所に前記サイホン終期時期以前に前記通過洗浄水の一部を入り込ませて貯め置いて、該貯め置いた洗浄水をその自重で前記ソケット管路通過洗浄水に補給し、
前記凹所は、前記ソケット管路を取り囲み、連続的な螺旋状で形成された螺旋凹所とされ、該螺旋凹所にて洗浄水に螺旋状の流れを引き起こす
ことを特徴とする。
【０００６】
上記構成の本発明の排水ソケットでは、サイホン終期時期においてソケット管路の通過洗浄水量を増量調整するので、管路断面における通過洗浄水の占有面積の狭小を招かない。よって、下流からの空気進入を抑制でき、その分、サイホンを維持できる。このため、サイホン終期にあってもサイホン作用によりボール部溜水の吸引効率を高めることができ、浮遊汚物の吸引・排出の信頼性を高めることができる。
【０００８】
上記の構成を有する本発明の排水ソケットの調整手段は、貯め置いた洗浄水を前記サイホン終期時期にソケット管路通過洗浄水に補給するので、補給洗浄水でソケット管路通過洗浄水量の増量調整を行ってサイホンを維持し、サイホン終期のボール部溜水の吸引効率向上、延いては浮遊汚物の吸引・排出の信頼性向上を図ることができる。
【０００９】
この場合、複数箇所で洗浄水の補給を行うようにすれば、補給洗浄水による上記したサイホン管維持の確実化を図ることができる。
また、排水ソケット或いは便器のサイホントラップに、通過洗浄水の一時的滞留を起こしてサイホン作用を誘発するサイホン誘発機構を設け、このサイホン誘発機構の近傍に、洗浄水の滞留個所から流れ込んだ通過洗浄水の一部を貯め置く貯留手段を設けるようにすることもできる。こうすれば、サイホン作用誘発箇所近くで洗浄水を補給できるので、サイホン管維持をより一層確実なものとして、信頼性を高めることができる。
【００１０】
また、前記サイホン終期時期以前に、前記ソケット管路又は前記サイホントラップの通過洗浄水の一部を貯め置くので、補給洗浄水を、通過洗浄水、即ち便器洗浄のために便器に供給された洗浄水から調達できる。しかも、洗浄水補給のための特別の水路系を要しない。よって、用いる洗浄水量の増加を招くことがないと共に、構成の簡略化を図ることができる。
【００１５】
【発明の実施の形態】
以上説明した本発明の構成及び作用を一層明らかにするために、以下本発明の水洗便器について、その実施の形態を説明する。図１は、本発明の実施例であるサイホンゼット式の水洗便器１０の縦断面を示す説明図である。このサイホンゼット式の水洗便器１０は、洗浄に伴って、後述するゼット噴出孔２２から水を噴出してサイホン作用を引き起こす。
【００１６】
図１に示すように、水洗便器１０は、汚物を受けるボール部２０を備える。ボール部２０の周壁は、水洗便器１０の非洗浄時でも溜水ＲＷと接する覆水面２３と、水洗便器１０の非洗浄時には溜水ＲＷと接しない露出面２４から構成されている。
【００１７】
ボール部２０の底部の凹所２６には、サイホントラップ管路の吸込口２５にほぼ対峙して、ゼット噴出孔２２を有する。このゼット噴出孔２２は、この孔への洗浄水入口であるゼット給水孔４５と、便器内部でボール部２０を取り囲むよう湾曲形成されたゼット給水路４６を介して接続されている。ゼット噴出孔２２から噴出された洗浄水は、噴出孔とトラップの吸込口との位置関係から、エネルギ損失を来すことなく、吸込口２５以降のサイホントラップに入り込む。これにより、早期のうちの管路満水を図り、サイホン作用の早期誘発が可能となる。
【００１８】
便器洗浄に際してボール部２０に洗浄水を供給するため、水洗便器１０の後方に洗浄水タンク３１０が設置されている。便器１０は、タンク洗浄水が排水管３４６を通って流入する洗浄水給水孔４０を備え、その下方に、洗浄水の流路である洗浄水給水路４１を有する。この洗浄水給水路４１は、ボール部への洗浄水噴出のためのゼット給水路４６と洗浄水タンク３１０の排水管下端との間に介在する空間として滞留部４１ａを区画形成する。そして、この滞留部４１ａには、洗浄時には排水管からの放出洗浄水が流入し、この流入洗浄水は、ゼット給水孔４５並びにゼット給水路４６を経てゼット噴出孔２２から噴出される。また、滞留部４１ａが満水となった以降では、滞留部内の洗浄水は、滞留部上方の分岐孔４２を経てリム給水路４３に流出し、リム部２１下端に形成されたリム噴出孔４４から噴出される。
【００１９】
次に、サイホントラップを含む排出機構について説明する。図示するように、サイホントラップは、汚物溜りとしての凹所２６に開口した吸込口２５から斜め上方向に向けて湾曲する接続路３１と、この接続路３１の湾曲方向に延出した後、横方向へ湾曲する上昇路３２と、横方向から下方向に湾曲する下降路３３とから構成される。
【００２０】
下降路３３は、その末端部分に、管路径の拡張した拡張部３３ａと開口面積がこの拡張部より狭くされた末端絞り部３３ｂとを有する。よって、この下降路３３は、拡張部３３ａと末端絞り部３３ｂとで通過する洗浄水を一時的に滞留させるので、下降路３３自体でもサイホン作用を誘発させる。この下降路３３は、その末端にて樹脂製の排水ソケット７０を介して、便器設置個所においてトイレ床面ＦＬから立ち上げ設置された排水管９０に接続される。
【００２１】
これらの流路は、この流路形状を石膏型や樹脂型に形取ることにより、陶器である水洗便器１０と一体に成形されるが、水洗便器１０とは別の部材で流路を形成することも可能である。例えば、これらの全部または一部の流路を、樹脂等の他の部材で成形し、吸込口２５に接続する構成としてもよい。
【００２２】
排水ソケット７０は、トイレ床面ＦＬ上に位置しこのトイレ床面にボルト等で固定されるソケット本体部７１と、上記したサイホントラップの通過洗浄水を排水管９０に導くソケット管路７２を形成する管路形成体７３とを有する。管路形成体７３は、ソケット管路７２を螺旋状に取り囲む螺旋凹所７４を有する。この場合、ソケット管路７２は、上記した末端絞り部３３ｂとほぼ同一径とされている。
【００２３】
ソケット本体部７１は、その上端に下降路３３の末端が入り込む下降路嵌合部７１ａと、排水管９０の上端が下方から入り込む排水管嵌合部７５を備える。この排水管嵌合部７５は、排水管９０の嵌合により、排水ソケット７０をこの排水管９０に対して位置決めする。そして、管路形成体７３の末端が排水管９０の上端より下方に位置することから、管路形成体７３を通過した洗浄水は、排水管９０の上端から漏れ出にくくされている。
【００２４】
上記した排水ソケット７０のソケット本体部７１と管路形成体７３は、共に樹脂成型品であり、水洗便器１０とは、詳しくは下降路３３とは別体としたが、この下降路３３（つまりはサイホントラップ）と一体としてもよい。このように下降路３３と一体とするに当たっては、拡張部３３ａに末端絞り部３３ｂを挟んでソケット管路７２のような管路を螺旋凹所７４と共に、便器製造時に下降路３３に連設すればよい。また、水洗便器１０のサイホントラップを末端絞り部３３ｂのようなサイホン誘発機構を有しないものとし、これに接続する排水ソケット７０が、末端絞り部３３ｂのようなサイホン誘発機構とソケット管路７２および管路形成体７３を有するようにすることもできる。ソケット本体部７１と管路形成体７３を樹脂成型品とするに当たっては、排水管９０と同じ塩化ビニル系樹脂とできるほか、ＡＢＳ樹脂や、ＰＰ（ポリプロピレン）、ＰＥ（ポリエチレン）、ＰＰＳ（ポリフェニレンサルファイド）、ＭＡ（アクリル）、ＰＯＭ（ポリアセタール）等の種々の樹脂を用いることができる。
【００２５】
図示するように、洗浄動作前の水洗便器１０においては、接続路３１，上昇路３２およびボール部２０内に、通常水位線ＷＬの高さに溜水ＲＷが溜まっている。この溜水ＲＷにより、排水機構からボール部２０への臭気の逆流や害虫の進入が防止される。
【００２６】
溜水ＲＷには、吸込口２５に至るまでのボール部２０の内部に溜まる水（以下、この水をボール部溜水或いは封水という）と、吸込口２５以降の接続路３１および上昇路３２に溜まる水（以下、この水を流路内溜水という）と、水洗便器１０の滞留部４１ａの下部およびゼット給水路４６に溜まる水（以下、この水をゼット溜水という）が含まれる。図１に示すように、流路内溜水は、接続路３１，上昇路３２および下降路３３からなる汚水の流路のうち、接続路３１から上昇路３２にかけての１箇所にのみ溜まっている。なお、「汚水」とは、大便や小便等の汚物や紙などが混ざることによって汚れた水をいう。
【００２７】
通常水位線ＷＬの高さは、上昇路３２の内壁下側の最も高い位置である堰３４の高さによって定まる。従って、図１に示すように、水洗便器１０の滞留部４１ａの下部，ゼット給水孔４５およびゼット給水路４６は、堰３４よりも下方にあるため、水洗便器１０の静止状態においては、滞留部４１ａの下部およびゼット給水路４６には、上記した水位でゼット溜水が溜まっている。なお、堰３４の高さを低くすれば、溜水ＲＷの水位も低くなり、ボール部溜水，流路内溜水，ゼット溜水の量も減少する。
【００２８】
このように構成された排水機構により、汚水や汚物が排出される仕組みについて説明する。洗浄水タンク３１０から洗浄水が放出されると、この放出洗浄水は、まず、滞留部４１ａに流れ込み、その位置エネルギを運動エネルギとしてゼット給水路４６のゼット溜水をボール部２０のボール部溜水（封水）に流し込む。これにより、ゼット噴出孔２２から上記のトラップに向けた洗浄水噴出が開始され、その後は、洗浄水の放出が継続される間において、上記のエネルギで放出洗浄水自体がゼット噴出孔２２から継続して噴出される。この噴出動作の進行過程初期において、滞留部４１ａは放出洗浄水で置換されるので、この置換完了後に、分岐孔４２を経て放出洗浄水はリム噴出孔４４から噴出される。
【００２９】
こうしてボール部２０に洗浄水が噴出されると、上昇路３２の水位が上昇し、上昇路３２から下降路３３にかけての屈曲した部分（以下、屈曲部という）が満水状態になる。すると、下降路３３を洗浄水が通過するようになり、その通過の際には、下降路末端の拡張部３３ａで洗浄水の一時的な貯留が起き、トラップ管路が洗浄水で満水となってサイホン管が形成される。そして、このサイホン管の洗浄水とボール部２０の溜水との間に圧力差が生じて下方向への引き込み力が生じる。この引き込み力により、サイホントラップ（上昇路３２内および接続路３１）内に充満した洗浄水（汚水）並びにボール内の洗浄水（汚水）が、汚物とともに一気に排水管９０に導かれる。こうしてサイホン作用が誘発される。
【００３０】
次に、サイホン作用誘発後の洗浄水の挙動について説明する。図２は、サイホントラップおよびソケット管路７２における洗浄水の通過挙動を説明する説明図である。
【００３１】
サイホン作用の誘発により流れる洗浄水は、図２（ａ）中に白抜き矢印で示すように、拡張部３３ａを経てソケット管路７２をそのまま通過しようとする流れでソケット管路７２を通過する。これと共に、一部の洗浄水は、ソケット管路７２を取り囲む螺旋凹所７４に入り込んで貯め置かれる。そして、この螺旋凹所７４の洗浄水は、図中に点線で示すように、この螺旋凹所７４内を螺旋状に流れ落ちる。或いは、螺旋凹所７４の洗浄水は、その自重により、凹所開口部から流れ落ち、図中白抜きの流れの洗浄水に合流する。
【００３２】
洗浄水タンク３１０からの所定量の洗浄水給水・噴出孔からの洗浄水噴出がほぼ終了し、サイホン終期となると、サイホントラップを経てソケット管路７２に至る洗浄水量は低減する。この状態では、図２（ｂ）に示すように、ソケット管路７２をそのまま通過しようとする流れの洗浄水（以下、この洗浄水を便宜上、通過洗浄水と呼ぶ）の流量は少なくなる。ところが、螺旋凹所７４内には洗浄水が存在し、この洗浄水は、螺旋凹所７４に沿って螺旋状に流れる或いは通過洗浄水に合流することから、通過洗浄水に対しては補給洗浄水となる。このため、ソケット管路７２の途中或いはその末端を通過する全体の洗浄水の流量は増量されることになる。したがって、ソケット管路７２の管路断面に占める洗浄水の占有面積は、螺旋凹所７４を有しない既存のものに比して広くなるので、排水管９０の側からの空気進入を、広い占有面積で存在する洗浄水により抑制できる。この結果、流量が低減するサイホン終期にあっても、サイホン管を長く維持できることになり、サイホン終期におけるボール部溜水の吸引効率向上並びに浮遊汚物の吸引・排出の信頼性向上を図ることができる。
【００３３】
また、上記の通過洗浄水への螺旋凹所７４からの洗浄水補給は、各段の螺旋凹所７４にて行われる。よって、通過洗浄水への洗浄水補給が確実となるので、サイホン管を確実に維持できるようになる。このため、サイホン終期におけるボール部溜水の吸引効率向上の信頼性並びに浮遊汚物の吸引・排出の信頼性をより向上できる。
【００３４】
また、サイホン誘発を起こす接続路３１の絞り部３３ｂの直下から螺旋凹所７４を設けるようにしたので、サイホン作用誘発箇所近くで洗浄水を補給できる。このため、サイホン管維持をより一層確実なものとして、信頼性を高めることができる。
【００３５】
しかも、通過洗浄水の一部を螺旋凹所７４に導いてこれを補給洗浄水とするので、洗浄水補給のための特別の水路系を要しない。よって、便器洗浄に用いる洗浄水総量の増加を招くことがないと共に、構成の簡略化を図ることができる。
【００３６】
更に、螺旋凹所７４では洗浄水の螺旋状の流れを起こしているので、この洗浄水は、ソケット管路７２を取り巻くよう旋回する。したがって、この旋回洗浄水によっても排水管９０の側からの空気進入を抑制できるので、サイホン終期における吸引効率向上の信頼性並びに浮遊汚物の吸引・排出の信頼性をより高めることができる。
【００３７】
なお、この実施例では、ソケット管路７２が窪んだ螺旋凹所７４としたが、螺旋状の板体をソケット管路７２に挿入・装着するようにすることもできる。
【００３８】
次に、上記実施例の変形例について説明する。図３は、変形例の排水ソケット７０を説明するための説明図である。この変形例の排水ソケット７０は、図示するように、ソケット管路７２に適宜間隔で外側にスカート状に窪んだ環状凹所７４ａを有する。そして、それぞれの環状凹所７４ａに通過洗浄水の一部を一時的に貯め置き、その洗浄水を自重で通過洗浄水に補給する。このため、この変形例にあっても、それぞれの環状凹所７４ａから洗浄水をソケット管路７２の通過洗浄水に上記のように合流させるので、既述した効果を奏することができる。
【００３９】
次に、他の実施例について説明する。図４は、第２実施例の排水ソケット１７０を説明するための説明図である。図示するように、この変形例の排水ソケット１７０は、床面固定用のソケット本体部１７１を有し、その内部に、通過洗浄水を排水管９０に導くための上流ソケット管路１７２と管路形成体１７３を偏心させて備える。そして、この排水ソケット１７０は、上流ソケット管路１７２を形成する管路形成体１７３の下端に対向させて段部１７５を有し、この段部上方に、管路形成体１７３を取り囲む貯留室１７６を備える。なお、上流ソケット管路１７２並びに下流ソケット管路１７４は、共に末端絞り部３３ｂとほぼ同一径とされている。
【００４０】
ソケット本体部１７１は、その上端の下降路嵌合部１７１ａに下降路３３を嵌合させて床面に固定され、排水管９０とは、その上端に位置するシール材１７７でシールされている。この排水ソケット１７０にあっても、下流ソケット管路１７４の末端を排水管９０の上端より下方に位置させて、排水管９０の上端から洗浄水漏れを抑制している。なお、この排水ソケット１７０も、上記したように、塩化ビニル系樹脂やＡＢＳ樹脂等の上記樹脂から形成されている。
【００４１】
この排水ソケット１７０は、上流ソケット管路１７２を通過した通過洗浄水を、図中矢印で示すように段部１７５に衝突させ、その向きを変えて下流ソケット管路１７４に流し込む。この段部１７５上方は貯留室１７６で拡張されているので、段部１７５での流れ向き変更と相まって、洗浄水の一時的な貯留を起こし、サイホン作用の誘発に寄与する。よって、この排水ソケット１７０を装着した水洗便器１０では、末端絞り部３３ｂと排水ソケット１７０における段部１７５の２カ所でサイホン作用の誘発を起こすので、効果的に溜水吸引力向上並びに吸引効率向上を図ることができる。そして、排水ソケット１７０でもサイホン作用誘発ができることから、サイホントラップ末端、即ち下降路３３末端管路がストレートとされた水洗便器１０にもこの排水ソケット１７０を装着することでサイホン作用誘発を起こすことができる。
【００４２】
排水ソケット１７０での洗浄水挙動は次のようになる。サイホン作用誘発により上流ソケット管路１７２を通過した洗浄水（通過洗浄水）は、段部１７５への衝突により、上記のように下流ソケット管路１７４に流れ込む。その一方、通過洗浄水の一部は、サイホン誘発の圧力、即ち、ボール部２０内の溜水水面との水頭圧（ヘッド差）をもって貯留室１７６に流入する。この際、貯留室１７６には空気が存在するが、この空気は洗浄水の上記圧力で圧縮されるので、その分だけ、貯留室１７６には洗浄水が貯留される。つまり、この貯留室１７６が一種のアキュムレータとして機能する。
【００４３】
サイホン終期となると、上流ソケット管路１７２を通過し下流ソケット管路１７４に流れ込む洗浄水量は低減すると共に、貯留室１７６をその下端で塞ぐ洗浄水の圧力も低下する。このような状況になると、貯留室１７６に貯留された洗浄水は、自身の水圧と自重により、貯留室１７６から流れ出し、下流ソケット管路１７４を通過しようとする洗浄水の流量増をもたらす。したがって、下流ソケット管路１７４の管路断面に占める洗浄水の占有面積は、貯留室１７６を有せず段部１７５で洗浄水向きを変えるだけのものに比して広くなるので、排水管９０の側からの空気進入を、広い占有面積で存在する洗浄水により抑制できる。この結果、この第２実施例の排水ソケット１７０によっても、上記した実施例と同様の効果を奏することができる。
【００４４】
また、この排水ソケット１７０は、上流ソケット管路１７２の末端において、その周囲の貯留室１７６から上流ソケット管路１７２周縁に亘って洗浄水を補給する。このため、洗浄水の補給を通した流量増を簡便に実行することができる。
【００４５】
この第２実施例の排水ソケット１７０では、上流ソケット管路１７２を取り囲む貯留室１７６としたが、上流ソケット管路１７２の一方の側に形成するよう変形することもできる。図５は、この変形例の排水ソケット１７０Ａを説明するための説明図である。この排水ソケット１７０Ａは、上流ソケット管路１７２の末端近傍に突起１７８を設け、この突起１７８と対向する側に貯留室１７６を備える。この排水ソケット１７０Ａでは、図中矢印で示すように突起１７８に衝突して向きを変えた通過洗浄水が貯留室１７６に入り込むようになる。よって、この変形例の排水ソケット１７０Ａによっても、上記の第２実施例と同様にして貯留室１７６から洗浄水の補給を行うことができる。
【００４６】
次に、参考例について説明する。図６は、参考例の排水ソケット２７０を説明するための説明図である。図示するように、この変形例の排水ソケット２７０は、床面固定用のソケット本体部２７１を有し、その内部に、通過洗浄水を排水管９０に導くためのソケット管路２７２を備える。そして、排水ソケット２７０は、このソケット管路２７２の管路径を狭小調整可能な絞り機構を有する。この絞り機構は、ソケット管路２７２に対向配置された管路制限部材２７３と、これを管路内に進退させるアクチュエータ２７４と、図示しないアクチュエータ制御装置から構成される。
【００４７】
管路制限部材２７３は、ゴム、エラストマー等の耐水性・耐久性に富む弾性材料から形成されており、ソケット管路２７２周囲の管路壁２７５に水密に固定されている。アクチュエータ２７４は、その制御装置からの指令を受けて管路制限部材２７３を管路内に湾曲して迫り出したり、管路壁面側に引き寄せたりする。アクチュエータ制御装置は、便器洗浄が開始されてからの経過時間やソケット管路２７２内の圧力変化等に基づいて、サイホン終期を判別し、その結果に応じてアクチュエータを次のように駆動制御する。
【００４８】
図示しないハンドル操作やボタン操作により便器洗浄が開始されると、アクチュエータ制御装置は、アクチュエータ２７４に前進指令を出してこれを駆動し、図示するように、管路制限部材２７３を管路内に迫り出す。これにより、ソケット管路２７２の管路は狭小化されるので、この間、ソケット管路２７２の洗浄水の通過は制限される。こうした制限下であっても、下降路３３の末端絞り部３３ｂではサイホン作用が誘発され、ソケット管路２７２を洗浄水は通過するので、特段の支承なく溜水および汚物の吸引は実行される。このように管路制限部材２７３が迫り出した場合であっても、その間の管路は、汚物搬送に支承のないものとなるようにされている。なお、図示するように２７３が迫り出した状態を絞り機構の原点位置とすることもでき、この場合は、上記のアクチュエータ駆動は必要ない。
【００４９】
今、アクチュエータ制御装置が上記の経過時間等によりサイホン終期に近づいたと判断すると、アクチュエータ制御装置は、アクチュエータ２７４に後退指令を出してこれを駆動し、管路制限部材２７３を管路壁面側に引き寄せる。これにより、ソケット管路２７２の管路はそれまでの状態から拡張されるので、管路狭小化による洗浄水の通過制限は緩和され、絞り機構下流のソケット管路２７２の通過洗浄水が増量される。したがって、サイホン終期では、絞り機構下流のソケット管路２７２における通過洗浄水の占有面積増をもたらすので、上記したようなサイホン管の維持、並びにボール部溜水の吸引効率向上を図ることができ、上記各実施例と同様の効果を奏することができる。
【００５０】
以上、本発明が実施される形態を説明したが、本発明はこうした実施例に何等限定されるものではなく、本発明の要旨を逸脱しない範囲内において種々なる様態で実施し得ることは勿論である。
【００５１】
例えば、上記実施例では、洗浄水タンクとして、便器に連結されるロータンク型タンクを用いたが、ロータンク型タンク以外のタンク、例えば、便器と洗浄管を介して接続されてトイレの壁等に設置される隅付き型や平付き型のタンクを用いてもよい。この場合に、洗浄水タンクを高い位置に設置してハイタンクとすることも可能である。
【００５２】
また、本発明をサイホンゼット式の水洗便器１０やサイホン便器に適用した場合を例として説明したが、上記の便器と他の装置や部材との組み合わせた発明として把握することもできる。例えば、局部洗浄や暖房等の諸機能を実現する機能便座と組み合わせた衛生洗浄装置、収納用キャビネットや手洗装置と組み合わせたトイレキット装置、トイレ室内の構造体としての壁材，床材および天井材等を組み合わせたシステムトイレ装置等が考えられる。
【図面の簡単な説明】
【図１】  本発明の実施例であるサイホンゼット式の水洗便器１０の縦断面を示す説明図である。
【図２】  サイホントラップおよびソケット管路７２における洗浄水の通過挙動を説明する説明図である。
【図３】  変形例の排水ソケット７０を説明するための説明図である。
【図４】  第２実施例の排水ソケット１７０を説明するための説明図である。
【図５】  変形例の排水ソケット１７０Ａを説明するための説明図である。
【図６】  参考例の排水ソケット２７０を説明するための説明図である。
【符号の説明】
１０…水洗便器
２０…ボール部
２２…ゼット噴出孔
２３…覆水面
２４…露出面
２５…吸込口
２６…凹所
３１…接続路
３２…上昇路
３３…下降路
３３ａ…拡張部
３３ｂ…末端絞り部
３４…堰
４０…洗浄水給水孔
４１…洗浄水給水路
４１ａ…滞留部
４２…分岐孔
４３…リム給水路
４４…リム噴出孔
４５…ゼット給水孔
４６…ゼット給水路
７０…排水ソケット
７１…ソケット本体部
７１ａ…下降路嵌合部
７２…ソケット管路
７３…管路形成体
７４…螺旋凹所
７４ａ…環状凹所
７５…排水管嵌合部
９０…排水管
１７０…排水ソケット
１７０Ａ…排水ソケット
１７１…ソケット本体部
１７１ａ…下降路嵌合部
１７２…上流ソケット管路
１７３…管路形成体
１７４…下流ソケット管路
１７５…段部
１７６…貯留室
１７７…シール材
１７８…突起
２７０…排水ソケット
２７１…ソケット本体部
２７２…ソケット管路
２７３…管路制限部材
２７４…アクチュエータ
２７５…管路壁
３１０…洗浄水タンク
３４６…排水管
【図１】
0004649700.tif 000002
【図２】
0004649700.tif 000003
【図３】
0004649700.tif 000004
【図４】
0004649700.tif 000005
【図５】
0004649700.tif 000006
【図６】
0004649700.tif 000007